(57)【要約】【課題】本発明は、ライトソーキング（ＬＳ）の必要な太陽電池をより高い信頼性でより少ない手間で評価し得る太陽電池評価装置および該方法を提供する。【解決手段】本発明の太陽電池評価装置Ｓは、ＬＳの必要な評価対象の太陽電池ＳＭに、ＬＳのためのＬＳ光を照射するＬＳ光照射部２と、太陽電池ＳＭに、評価を行うための評価光を照射する評価光照射部１と、太陽電池ＳＭの出力を検出する検出部３と、評価光照射部１によって評価光を太陽電池ＳＭに照射することで得られた検出部３の検出結果に基づいて太陽電池ＳＭを評価する評価部４３と、ＬＳ光照射部２を制御する照射制御部４２とを備え、照射制御部４２は、ＬＳ開始後に、太陽電池ＳＭの出力における時間変化が予め設定された範囲以内となるまで、太陽電池ＳＭにＬＳ光を照射するように、ＬＳ光照射部２を制御する。【選択図】図１
2013222896.tif 000002
【特許請求の範囲】
【請求項１】
ライトソーキングの必要な評価対象の太陽電池に、ライトソーキングのためのライトソーキング光を照射するライトソーキング光照射部と、
前記太陽電池に、評価を行うための評価光を照射する評価光照射部と、
前記太陽電池の出力を検出する検出部と、
前記評価光照射部によって前記評価光を前記太陽電池に照射することで得られた前記検出部の検出結果に基づいて前記太陽電池を評価する評価部と、
前記ライトソーキング光照射部を制御する照射制御部とを備え、
前記照射制御部は、ライトソーキング開始後に、前記検出部によって検出された前記太陽電池の出力における時間変化が予め設定された所定範囲以内となるまで、前記太陽電池に前記ライトソーキング光を照射するように、前記ライトソーキング光照射部を制御すること
を特徴とする太陽電池評価装置。
【請求項２】
前記太陽電池の出力における時間変化は、所定時間における前記太陽電池の出力変化率を前記所定時間で除算した傾き、または、前記太陽電池の出力変化率における時間微分であること
を特徴とする請求項１に記載の太陽電池評価装置。
【請求項３】
前記照射制御部は、ライトソーキング開始後に、前記検出部によって検出された前記太陽電池の出力における時間変化が、連続的に複数回、予め設定された所定範囲以内となるまで、前記太陽電池に前記ライトソーキング光を照射するように、前記ライトソーキング光照射部を制御すること
を特徴とする請求項１に記載の太陽電池評価装置。
【請求項４】
前記検出部は、前記太陽電池の出力電流を検出し、
前記評価は、太陽電池の分光感度であり、
前記評価部は、１回のライトソーキング後に、複数の波長に対して、前記評価光照射部によって前記評価光を前記太陽電池に照射することで前記検出部によって得られた前記太陽電池の出力電流に基づいて前記太陽電池の分光感度を求めること
を特徴とする請求項１ないし請求項３のいずれか１項に記載の太陽電池評価装置。
【請求項５】
前記所定範囲を外部から入力する入力部をさらに備えること
を特徴とする請求項１ないし請求項４のいずれか１項に記載の太陽電池評価装置。
【請求項６】
ライトソーキングの必要な評価対象の太陽電池に、ライトソーキングのためのライトソーキング光を照射するライトソーキング光照射工程と、
前記太陽電池に、評価を行うための評価光を照射する評価光照射工程と、
前記太陽電池の出力を検出する検出工程と、
前記評価光照射工程によって前記評価光を前記太陽電池に照射することで得られた前記検出工程の検出結果に基づいて前記太陽電池を評価する評価工程とを備え、
前記ライトソーキング光照射工程は、ライトソーキング開始後に、前記検出工程によって検出された前記太陽電池の出力における時間変化が予め設定された所定範囲以内となるまで、前記太陽電池に前記ライトソーキング光を照射し、
前記評価工程は、前記ライトソーキング光照射工程後に、実行されること
を特徴とする太陽電池評価方法。
【発明の詳細な説明】
【技術分野】
【０００１】
本発明は、太陽電池を評価するための太陽電池評価装置および太陽電池評価方法に関し、特に、ライトソーキングの必要な太陽電池を適切に評価することができる太陽電池評価装置および太陽電池評価方法に関する。
【背景技術】
【０００２】
太陽電池は、光起電力効果を利用することによって光エネルギーを直接電力へ変換する素子であり、様々な太陽電池が研究、開発され、近年、広く普及し始めている。この太陽電池（以下、適宜「ＰＶ」と略記する）には、シリコン（Ｓｉ）を用いたシリコン系ＰＶ、ＩｎＧａＡｓ等の化合物半導体を用いた化合物系ＰＶおよび有機半導体を用いた有機系ＰＶ等の様々な種類があり、有機系ＰＶには、２種類の有機半導体を用いてＰＮ接合を形成しＰＮ接合における電子の光励起によって光起電力を得るＰＮ接合型ＰＶと、有機色素中の電子の光励起によって光起電力を得る色素増感太陽電池とがある。
【０００３】
このような様々な太陽電池の中には、例えばシリコン系ＰＶに代表される、光を照射した直後に、安定した電流値（略一定の電流値）の出力電流を出力する太陽電池がある一方、例えば有機系ＰＶに代表される、図５および図６に示すように、出力電流が光の照射時間の経過に伴って徐々に大きくなり（過渡状態）、やがて飽和して安定した電流値となる（定常状態）太陽電池がある。
【０００４】
このような光の照射直後に定常状態にならない太陽電池を適切に評価するためには、前記定常状態で前記太陽電池を評価する必要があり、ライトソーキング（Light Soaking）と呼ばれる光の照射が評価前に太陽電池に対し行われる（例えば非特許文献１および非特許文献２参照）。
【０００５】
そして、このようなライトソーキングの効果は、ライトソーキングの光照射を停止した直後に失われないが、図５に示すように、徐々に失われる。このため、ライトソーキングの光照射を停止した後に、太陽電池を評価するために光を照射した場合に、太陽電池から出力される出力電流は、図７に示すように、時間経過に伴って徐々に低下する。したがって、太陽電池の分光感度を複数回測定すると、図８に示すように、同一の太陽電池であっても異なる分光感度となる。
【０００６】
なお、図５は、白色光の照射に対するライトソーキングの効果を説明するための図であり、その横軸は、経過時間であり、その縦軸は、ＰＶの出力電流である。図６は、ライトソーキングの効果を示すための実測結果を示す図であり、実線は、出力電流（ｍＡ）を示し、破線は、電圧（ｍＶ）を示す。図６の横軸は、経過時間であり、その紙面右縦軸は、電圧であり、紙面左縦軸は、電流である。図７は、ライトソーキングの停止後における太陽電池の短絡電流の実測結果を示す図であり、その横軸は、経過時間であり、その縦軸は、太陽電池の短絡電流である。図８は、ライトソーキングの停止後における太陽電池の分光感度の実測結果を示す図であり、その横軸は、波長（ｎｍ）であり、その縦軸は、太陽電池の分光感度である。
【０００７】
また、太陽電池の分光感度は、太陽電池における、入射光の各波長での光電変換効率であり、太陽電池に入射される光エネルギーに対する太陽電池の出力電流として通常Ａ／Ｗ（アンペア／ワット）の単位で表される。したがって、太陽電池の分光感度は、異なる波長の入射光に対し、太陽電池がどの程度の出力電流を有するかを表しており、太陽電池の分光感度は、太陽電池の性能を評価するための評価指標になり得る。
【先行技術文献】
【非特許文献】
【０００８】
【非特許文献１】「色素増感太陽電池の性能評価方法」、財団法人光産業技術振興協会発行、２００９年３月制定
【非特許文献２】「地上設置の薄膜太陽電池（ＰＶ）モジュール−設計適格性確認試験及び形式認証のための要求事項」の１０．１９．３  手順参照、ＪＩＳ  Ｃ  ８９９１、２０１１年
【発明の概要】
【発明が解決しようとする課題】
【０００９】
ところで、太陽電池を評価する際に太陽電池が定常状態となっているか否かの判定は、従来、経験的に行われている。例えば、前記判定は、ライトソーキングを所定時間行った後に評価を行う処理を複数回行い、その各評価結果が略同等である否かをオペレータが判断することによって行われている。その結果、各評価結果が略同等ではない場合には、ライトソーキングの光強度を強くする対処やライトソーキングの前記所定時間を長くする対処等の様々な対処が経験的に為されている。
【００１０】
このように過渡状態を経て定常状態となる太陽電池の評価は、経験的に行われており、その評価結果の信頼性を保証し難い。また、評価結果を得るために、複数回の前記処理を行う必要があり、そして、ライトソーキングの効果が徐々に失われるので一度のライトソーキングで多数の評価を行うことができない。このため、前記太陽電池の評価に手間がかかってしまう。
【００１１】
本発明は、上述の事情に鑑みて為された発明であり、その目的は、ライトソーキングの必要な太陽電池をより高い信頼性でより少ない手間で評価することができる太陽電池評価装置および太陽電池評価方法を提供することである。
【課題を解決するための手段】
【００１２】
本発明者は、種々検討した結果、上記目的は、以下の本発明により達成されることを見出した。すなわち、本発明の一態様にかかる太陽電池評価装置は、ライトソーキングの必要な評価対象の太陽電池に、ライトソーキングのためのライトソーキング光を照射するライトソーキング光照射部と、前記太陽電池に、評価を行うための評価光を照射する評価光照射部と、前記太陽電池の出力を検出する検出部と、前記評価光照射部によって前記評価光を前記太陽電池に照射することで得られた前記検出部の検出結果に基づいて前記太陽電池を評価する評価部と、前記ライトソーキング光照射部を制御する照射制御部とを備え、前記照射制御部は、ライトソーキング開始後に、前記検出部によって検出された前記太陽電池の出力における時間変化が予め設定された所定範囲以内となるまで、前記太陽電池に前記ライトソーキング光を照射するように、前記ライトソーキング光照射部を制御することを特徴とする。
【００１３】
このような構成の太陽電池評価装置は、ライトソーキングの必要な太陽電池の評価を行うごとに、評価対象の太陽電池の出力における時間変化が予め設定された所定範囲以内であるか否かが判定され、前記太陽電池の出力における時間変化が予め設定された所定範囲以内となるまで、前記太陽電池にライトソーキング光を照射するので、定常状態で評価することができるから、ライトソーキングの必要な太陽電池をより高い信頼性で評価することができる。そして、このような構成の太陽電池評価装置は、ライトソーキングを、前記太陽電池の出力における時間変化が予め設定された所定範囲以内となるまで、自動的に行うので、評価対象の太陽電池をより少ない手間で評価することができる。
【００１４】
また、他の一態様では、上述の太陽電池評価装置において、前記太陽電池の出力における時間変化は、所定時間における前記太陽電池の出力変化率を前記所定時間で除算した傾き、または、前記太陽電池の出力変化率における時間微分であることを特徴とする。
【００１５】
この構成によれば、所定時間における前記太陽電池の出力変化率を前記所定時間で除算した傾きの値、または、評価対象の太陽電池の出力変化率における時間微分の値で、前記太陽電池の出力における時間変化が予め設定された範囲以内であるか否かを判定する太陽電池評価装置が提供される。
【００１６】
また、他の一態様では、これら上述の太陽電池評価装置において、前記照射制御部は、ライトソーキング開始後に、前記検出部によって検出された前記太陽電池の出力における時間変化が、連続的に複数回、予め設定された所定範囲以内となるまで、前記太陽電池に前記ライトソーキング光を照射するように、前記ライトソーキング光照射部を制御することを特徴とする。
【００１７】
このような構成の太陽電池評価装置では、評価対象の太陽電池の出力における時間変化が、連続的に複数回、予め設定された所定範囲以内となるまで、前記太陽電池にライトソーキング光を照射するので、ノイズ等によって偶発的に前記太陽電池の出力における時間変化が予め設定された所定範囲以内となってライトソーキングを終了する場合をより低減することができ、より確実に定常状態で評価することができるから、ライトソーキングの必要な太陽電池をより高い信頼性で評価することができる。
【００１８】
また、他の一態様では、これら上述の太陽電池評価装置において、前記検出部は、前記太陽電池の出力電流を検出し、前記評価は、太陽電池の分光感度であり、前記評価部は、１回のライトソーキング後に、複数の波長に対して、前記評価光照射部によって前記評価光を前記太陽電池に照射することで前記検出部によって得られた前記太陽電池の出力電流に基づいて前記太陽電池の分光感度を求めることを特徴とする。
【００１９】
分光感度は、互いに異なる複数の波長について、太陽電池の出力電流を測定する必要があり、波長ごとにライトソーキングを行うと、分光感度の測定に比較的長い時間が必要となる。また、ライトソーキングの効果は、上述したように、ライトソーキング光を停止すると低下するが、太陽電池によっては、かなり緩やかに低下するものもあり、また、太陽電池評価装置の精度に関する仕様によっては、若干の低下を許容できる場合もある。そこで、上記構成の太陽電池評価装置は、１回のライトソーキング後に、複数の波長に対して、太陽電池の出力電流に基づいて太陽電池の分光感度を求めるので、波長ごとにライトソーキングを行う場合に比較して、分光感度の測定時間をより短くすることができる。
【００２０】
また、他の一態様では、これら上述の太陽電池評価装置において、前記所定範囲を外部から入力する入力部をさらに備えることを特徴とする。
【００２１】
このような構成の太陽電池評価装置は、前記所定範囲を外部から入力する入力部をさらに備えるので、評価に求められる信頼性に応じて適宜に前記所定範囲を変えることができる。
【００２２】
そして、本発明の他の一態様にかかる太陽電池評価方法は、ライトソーキングの必要な評価対象の太陽電池に、ライトソーキングのためのライトソーキング光を照射するライトソーキング光照射工程と、前記太陽電池に、評価を行うための評価光を照射する評価光照射工程と、前記太陽電池の出力を検出する検出工程と、前記評価光照射工程によって前記評価光を前記太陽電池に照射することで得られた前記検出工程の検出結果に基づいて前記太陽電池を評価する評価工程とを備え、前記ライトソーキング光照射工程は、ライトソーキング開始後に、前記検出工程によって検出された前記太陽電池の出力における時間変化が予め設定された所定範囲以内となるまで、前記太陽電池に前記ライトソーキング光を照射し、前記評価工程は、前記ライトソーキング光照射工程後に、実行されることを特徴とする。
【００２３】
このような構成の太陽電池評価方法は、ライトソーキングの必要な太陽電池の評価を行うごとに、評価対象の太陽電池の出力における時間変化が予め設定された所定範囲以内であるか否かが判定され、前記太陽電池の出力における時間変化が予め設定された所定範囲以内となるまで、前記太陽電池にライトソーキング光を照射するので、定常状態で評価することができるから、ライトソーキングの必要な太陽電池をより高い信頼性で評価することができる。そして、このような構成の太陽電池評価方法は、ライトソーキング光照射工程を制御する照射制御部に、ライトソーキングを、前記太陽電池の出力における時間変化が予め設定された所定範囲以内となるまで、自動的に行わせることができるので、評価対象の太陽電池をより少ない手間で評価することができる。
【発明の効果】
【００２４】
本発明にかかる太陽電池評価装置および太陽電池評価方法は、ライトソーキングの必要な太陽電池をより高い信頼性でより少ない手間で評価することができる。
【図面の簡単な説明】
【００２５】
【図１】実施形態における太陽電池評価装置の構成を示す図である。
【図２】実施形態における太陽電池評価装置の動作を示すフローチャート図である。
【図３】実施形態の太陽電池評価装置における測定タイミングを説明するための図である。
【図４】変形形態の太陽電池評価装置における測定タイミングを説明するための図である。
【図５】白色光の照射に対するライトソーキングの効果を説明するための図である。
【図６】ライトソーキングの効果を示すための実測結果を示す図である。
【図７】ライトソーキングの停止後における太陽電池の短絡電流の実測結果を示す図である。
【図８】ライトソーキングの停止後における太陽電池の分光感度の実測結果を示す図である。
【発明を実施するための形態】
【００２６】
以下、本発明にかかる実施の一形態を図面に基づいて説明する。なお、各図において同一の符号を付した構成は、同一の構成であることを示し、適宜、その説明を省略する。
【００２７】
（第１実施形態）
図１は、実施形態における太陽電池評価装置の構成を示す図である。第１実施形態における太陽電池評価装置Ｓは、ライトソーキングが必要な評価対象の太陽電池ＳＭを所定の評価項目で評価する装置であって、例えば、図１に示すように、評価光照射部１と、ＬＳ光照射部２と、検出部３と、演算制御部４と、入力部５と、出力部６と、インターフェース部（ＩＦ部）７と、記憶部８と、照射光学系９とを備える。
【００２８】
評価光照射部１は、演算制御部４の制御に従い、前記所定の評価項目で評価を行うための評価光を照射する装置である。本実施形態では、前記所定の評価項目が太陽電池の分光感度であるので、評価光は、照射光エネルギーの分かる単色光であって、さらに、その単色光の波長が可変である必要がある。前記単色光の可変波長帯域は、前記太陽電池ＳＭが感度を有する波長域を含む。このため、評価光照射部１は、演算制御部４の制御に従って、単色光の波長を選択（可変）する機能、前記単色光の放射光強度を調整する機能、および、前記単色光を点灯および消灯する機能等の諸機能を備える装置である。このような分光感度で評価するための評価光照射部１は、例えば、図１に示すように、評価光光源駆動制御部１１と、評価光光源部１２と、モノクロメータ１４と、放射照度検知部１７と、光学系１３、１５と、分岐光カプラ部１６と、増幅部１８とを備える。
【００２９】
評価光光源部１２は、モノクロメータ１４から射出される単色光の波長を含む、所定の波長帯域の光を放射する光源装置であり、例えば、キセノンランプ等の白色ランプである。キセノンランプは、輝度および色温度が高く、そして、紫外から可視を介して赤外までの広帯域に亘る連続スペクトルで光を放射するため、分光感度の測定に好適である。評価光光源駆動制御部１１は、演算制御部４の制御に従って、例えば評価光光源部１２で放射される前記光の放射（点灯）および停止（消灯）の駆動制御や前記光の放射光強度の調整制御等の、評価光光源部１２を駆動および制御する装置である。
【００３０】
光学系１３および光学系１５は、その用途に応じて光を集中、または、コリメート（平行光化）させるためのレンズ等の光学素子である。評価光光源駆動制御部１１の制御に従って評価光光源部１２から放射された光は、光学系１３を介してモノクロメータ１４へ入射される。
【００３１】
モノクロメータ１４は、演算制御部４の制御に従い、評価光光源部１２から光学系１３を介して入射された光を、演算制御部４の指示（選択）に応じた所定の波長で単色光化して射出する装置である。モノクロメータ１４は、例えば、評価光光源部１２から放射された前記所定の波長帯域の光を空間的に分散させ、それをスリット等で狭い範囲の波長のみを取り出す分光器である。このようなモノクロメータ１４は、例えば、入射スリット、第１反射鏡、回折格子、第２反射鏡および出射スリットを備え、入射スリットを介して入射された入射光束を第１反射鏡で回折格子へ反射し、回折格子で回折された入射光束の回折光を第２反射鏡で出射スリットへ反射する装置である。モノクロメータ１４は、このような構成によって、回折格子等を回転させてスリットの位置に到達する光の波長を選択させ、所望の範囲の波長のみを取り出すこと（単色光化）ができる。モノクロメータ１４は、前記所望する範囲の波長を取り出すように演算制御部４によって制御される。モノクロメータ１４から射出された評価光としての単色光は、光学系１５を介して分岐光カプラ部１６へ入射される。
【００３２】
分岐光カプラ部１６は、入射光を２つの光に分配して射出する光部品である。分岐光カプラ部１６に入射された単色光は、分岐光カプラ部１６で分配され、その一方は、放射照度検知部１７に入射され、その他方は、照射光学系９を介して、評価対象の太陽電池ＳＭへ入射される。
【００３３】
放射照度検知部１７は、分岐光カプラ部１６によって分配された単色光（モノクロメータ１４から射出された単色光）の放射照度（分光放射照度ではない）を測定する装置（基準検知器）であり、その測定結果を増幅部１８へ出力する。増幅部１８は、放射照度検知部１７で測定された放射照度を所定の増幅率で増幅して演算制御部４へ出力する。
【００３４】
ライトソーキング光照射部（ＬＳ光照射部）２は、演算制御部４の制御に従い、ライトソーキングのためのライトソーキング光（ＬＳ光）を照射する装置である。ＬＳ光における放射光強度および波長帯は、評価対象の太陽電池ＳＭにおけるライトソーキングに関する特性に応じて適宜に選択される。このため、ＬＳ光照射部２は、演算制御部４の制御に従って、ＬＳ光の放射光強度を調整する機能、および、前記ＬＳ光を点灯および消灯する機能等の諸機能を備える装置である。このような分光感度で評価するための評価光照射部１は、例えば、図１に示すように、光学系２１と、ライトソーキング光光源部（ＬＳ光光源部）２２と、ライトソーキング光光源駆動制御部（ＬＳ光光源駆動制御部）２３とを備える。
【００３５】
ＬＳ光光源部２２は、ライトソーキングのための所定の波長帯域の光を放射する光源装置であり、評価対象の太陽電池ＳＭに応じて適宜に選択される。例えば、前記太陽電池ＳＭが太陽光による発電を目的する太陽電池である場合では、ＬＳ光光源部２２は、ＪＩＳ  Ｃ  ８９１２（１９９８年）に規格されているような、相対分光照度および放射照度がともに自然太陽光（例えば１０００Ｗ／ｍ２でＡＭ１．５等の太陽光）に近似した白色光を放射するいわゆるソーラシミュレータであることが好ましい。また例えば、前記太陽電池ＳＭが室内光による発電を目的する太陽電池である場合では、ＬＳ光光源部２２は、例えば１０Ｗ／ｍ２で電球、蛍光灯、白色ＬＥＤおよびタングステンランプ等の室内照明に用いられる光源装置であることが好ましい。このようにＬＳ光光源部２２は、前記太陽電池ＳＭが発電のために受光する光に近似した相対分光照度および放射照度を持つ光を放射する光源装置であることが好ましい。
【００３６】
ＬＳ光光源駆動制御部２３は、演算制御部４の制御に従って、例えばＬＳ光の放射（点灯）および停止（消灯）の駆動制御やＬＳ光の放射光強度の調整制御等の、ＬＳ光光源部２２を駆動および制御する装置である。光学系２１は、その用途に応じて光を集中、または、コリメート（平行光化）させるためのレンズ等の光学素子である。ＬＳ光光源駆動制御部２３の制御に従ってＬＳ光光源部２２から放射されたＬＳ光は、光学系２１を介して照射光学系９へ入射される。
【００３７】
照射光学系９は、評価光照射部１から放射された評価光（本実施形態では単色光）を評価対象の太陽電池ＳＭへ照射し、また、ＬＳ光照射部２から放射されたＬＳ光を前記太陽電池ＳＭへ照射する光学系である。
【００３８】
評価光は、前記太陽電池ＳＭに略均一な照度分布で照射されることが好ましく、このため、照射光学系９は、評価光照射部１から放射された評価光を略均一な照度分布で照射するための光学系９１を備えている。そして、前記太陽電池ＳＭにおけるＬＳ光が照射されたＬＳ光照射領域内に、評価光も照射される必要がある一方、評価光照射部１の光軸とＬＳ光照射部２の光軸とが本実施形態では直交しているため、照射光学系９は、ＬＳ光照射部２の光路を曲げる光学素子９２をさらに備えている。この光学素子９２には、例えば、本実施形態では、前記太陽電池ＳＭの法線方向に沿って評価光およびＬＳ光を照射するために、ハーフミラー９２が用いられている。
【００３９】
このような構成の照射光学系９では、ＬＳ光照射部２から放射されたＬＳ光は、ハーフミラー９２に入射され、ハーフミラー９２で反射してその進行方向（光路）が９０度折り曲げられたＬＳ光は、前記太陽電池ＳＭに照射され、そして、評価光照射部１から放射された評価光は、光学系９１を介してハーフミラー９２に入射され、ハーフミラー９２を透過した評価光は、前記ＬＳ光のＬＳ光照射領域内で前記太陽電池ＳＭに照射される。
【００４０】
なお、本実施形態では、照射光学系９は、上述したように、前記太陽電池ＳＭの法線方向に沿って評価光およびＬＳ光を照射するために、ハーフミラー９２を備えて構成されたが、例えば、前記太陽電池ＳＭの法線を含む前記太陽電池ＳＭの垂直面内で、評価光照射部１の光軸とＬＳ光照射部２の光軸とが前記太陽電池ＳＭの表面上で交差（例えばＶ字で交差）するように、評価光照射部１とＬＳ光照射部２と配置される場合には、ハーフミラー９２を省略することができる。
【００４１】
検出部３は、評価項目に応じた評価対象の太陽電池ＳＭの出力を検出する装置である。本実施形態では、前記所定の評価項目が太陽電池の分光感度であるので、検出部３は、前記太陽電池ＳＭの電圧および電流が分かる装置である。より具体的には、検出部３は、演算制御部４の制御に従った所定の電圧値の電圧Ｖｂを前記太陽電池ＳＭに印加して前記太陽電池ＳＭの出力電流Ｉを測定することができるとともに、前記所定の電圧値を変えることができる、いわゆるソースメータである。検出部３は、その検出した前記太陽電池ＳＭの出力を演算制御部４へ出力する。
【００４２】
演算制御部４は、各部を当該機能に応じてそれぞれ制御することによって太陽電池評価装置Ｓ全体の動作を司るとともに、前記太陽電池ＳＭの評価を求める装置である。演算制御部４は、例えば、ＣＰＵ（Central Processing Unit、中央処理装置）、ＲＯＭ（Read Only Memory）やＲＡＭ（Random Access Memory）等の記憶素子およびこれらの周辺回路とを備えて構成されるマイクロコンピュータ等である。
【００４３】
演算制御部４には、演算制御プログラムが実行されることによって、制御部４１、照射制御部４２および評価部４３が機能的に構成される。
【００４４】
制御部４１は、検出部２、入力部５、出力部６、ＩＦ部７および記憶部８等の各部を当該機能に応じてそれぞれ制御することによってこれら各部の動作を司るものである。
【００４５】
照射制御部４２は、評価光照射部１およびＬＳ光照射部２を制御するものである。照射制御部４２は、本実施形態では、評価光照射部１に対し、評価光としての単色光の波長の選択、放射光強度および点消灯を後述のように制御し、そして、ＬＳ光照射部２に対し、ＬＳ光の放射光強度および点消灯を後述のように制御する。前記ＬＳ光の点消灯の制御に関し、照射制御部４２は、予め設定された所定の条件を満たすまで、前記太陽電池ＳＭにＬＳ光を照射するように、ＬＳ光照射部２を制御する。より具体的には、本実施形態では、照射制御部４２は、ライトソーキング開始後に、検出部３によって検出された前記太陽電池ＳＭの出力における時間変化が予め設定された所定範囲以内となるまで、前記太陽電池ＳＭにＬＳ光を照射するように、ＬＳ光照射部２を制御する。
【００４６】
そして、前記太陽電池ＳＭの出力における時間変化は、例えば、所定時間における前記太陽電池ＳＭの出力変化率（或る時点での前記太陽電池の出力値と前記或る時点から前記所定時間の経過した時点での前記太陽電池ＳＭの出力値との変化率）を前記所定時間で除算した傾きであることが好ましく、また例えば、前記太陽電池ＳＭの出力における時間変化は、当該経過時間での前記太陽電池ＳＭの出力変化率における時間微分（経過時間（ｘ軸）と前記太陽電池ＳＭの出力変化率（ｙ軸）との関係を表す曲線における当該経過時間での接線の傾き）であることが好ましい。
【００４７】
また、前記所定範囲は、外部から入力部５によって入力されてもよい。このような構成では、前記所定範囲を外部から入力されるので、評価に求められる信頼性に応じて適宜に前記所定の範囲を変えることができる。あるいは、前記所定範囲は、検出部３の電流レンジ、測定系のインピーダンスおよび太陽電池評価装置Ｓｂの仕様によって規定された測定精度等から自動的に決定されてもよい。
【００４８】
評価部４３は、評価光照射部１によって評価光を前記太陽電池ＳＭに照射することで得られた検出部３の検出結果に基づいて所定の評価項目で前記太陽電池ＳＭを評価するものである。より具体的には、本実施形態では、評価部４３は、評価光照射部１によって単色光を前記太陽電池ＳＭに照射することによって検出部３で得られた前記太陽電池ＳＭの出力電流、放射照度検知部１７で得られた前記単色光の放射照度および予め記憶された前記太陽電池ＳＭにおける単色光の照射領域面積に基づいて前記太陽電池ＳＭの分光感度を求める。
【００４９】
入力部５は、外部からコマンド（命令）やデータ等を太陽電池評価装置Ｓに入力するための装置であり、例えばタッチパネルやキーボード等である。出力部６は、入力部５から入力されたコマンドやデータおよび演算制御部４の演算結果等を出力するための装置であり、例えばＬＣＤ（液晶ディスプレイ）や有機ＥＬディスプレイ等の表示装置や、例えばプリンタ等の印刷装置である。ＩＦ部７は、本太陽電池評価装置Ｓと外部の他の装置との間で互いにデータを交換するための通信インターフェースであり、例えば、ＵＳＢ（Universal Serial Bus）規格に対応した装置やＲＳ２３２Ｃ規格に対応した装置である。記憶部８は、例えばハードディスク装置やＣＤ−Ｒドライブ装置等の外部記憶装置であり、例えば、検出部３の検出結果や演算制御部４の演算結果等を記憶するものである。
【００５０】
これら太陽電池評価装置Ｓの演算制御部４、入力部５、出力部６、ＩＦ部７および記憶部８は、例えば、マイクロプロセッサ、メモリおよび周辺機器を備えるパーソナルコンピュータによって構成可能である。
【００５１】
次に、本実施形態の動作について説明する。図２は、実施形態における太陽電池評価装置の動作を示すフローチャート図である。図３は、実施形態の太陽電池評価装置における測定タイミングを説明するための図である。
【００５２】
図２において、まず、評価対象の太陽電池ＳＭが太陽電池評価装置Ｓにおける図略の試料台等の所定の位置に配置（セット）される（Ｓ１）。そして、オペレータ（ユーザ）が入力部５を介して太陽電池評価装置Ｓに評価開始の指示を与える。評価開始の指示を受け付けた演算制御部４は、前記太陽電池ＳＭの評価を開始する。すなわち、演算制御部４は、所定の評価項目の評価を行う。本実施形態では、前記所定の評価項目が太陽電池の分光感度であるので、演算制御部４は、太陽電池の分光感度を測定する。
【００５３】
より具体的には、演算制御部４の照射制御部４２は、評価光照射部１を制御することによって評価光照射部１から放射されるべき単色光の波長を設定する（Ｓ２）。最初の測定では、単色光の波長は、測定波長範囲における測定開始の場合の波長λ０（例えば３００ｎｍ等）に設定され、次回以降の測定では、単色光の波長は、所定の波長間隔Δλ（例えば５ｎｍ等）で順次に設定される（λｎ＝λ０＋ｎ×Δλ）。なお、本実施形態では、分光感度における各波長の感度は、短波長側から長波長側へ順次に測定されるが、逆に、長波長側から短波長側へ順次に測定されてもよく、また例えば、測定波超範囲でランダム（無作為）の順番で測定されてもよい。
【００５４】
次に、照射制御部４２は、ＬＳ光照射部２を制御することによって前記太陽電池ＳＭにＬＳ光を照射する（Ｓ３）。そして、照射制御部４２は、前記太陽電池ＳＭの出力を検出部３によって検出する（Ｓ４）。すなわち、照射制御部４２の制御に従ってＬＳ光光源駆動制御部２３は、ＬＳ光光源部２２を駆動し、ＬＳ光光源部２２に所定の光強度でＬＳ光を放射させる。ＬＳ光光源部２２から放射されたＬＳは、光学系２１および光学系９のハーフミラー９２を介して前記太陽電池ＳＭに照射される。前記太陽電池ＳＭにＬＳ光が入射されると、前記太陽電池ＳＭは、光起電力効果によって光エネルギーを直接電力へ変換し、電流を出力し、その出力電流の電流値Ｉは、検出部３によって測定され（その電圧値Ｖｂは検出部３によって設定される）、検出部３は、その測定結果の電流値Ｉを演算制御部４へ出力する。これによって前記太陽電池ＳＭの出力電流が測定される。
【００５５】
次に、照射制御部４２は、検出部３から入力された測定結果の電流値Ｉに基づいて前記太陽電池ＳＭが定常状態になっているか否か（安定したか否か）を判定する（Ｓ５）。この判定は、ライトソーキング開始後に、検出部３によって検出された前記太陽電池ＳＭの出力（例えば出力電流や出力電力等）における時間変化が無いまたは予め設定された範囲以内か否かによって判断され、前記太陽電池ＳＭの出力における時間変化が無いまたは所定の範囲内である場合では、前記太陽電池ＳＭが定常状態になっている（安定した）と判定され、それ以外の場合では、前記太陽電池ＳＭが過渡状態である（安定していない）と判定される。
【００５６】
より具体的には、検出部３が所定のサンプリング間隔で前記太陽電池ＳＭの出力電流をサンプリング（検出）している場合に、照射制御部４２は、例えば、今回ｊのサンプリング（検出）によって検出部３で得られた前記太陽電池ＳＭの出力電流Ｉｊと前回ｊ−１のサンプリング（検出）によって検出部３で得られた前記太陽電池ＳＭの出力電流Ｉｊ−１との変化率を求め、その求めた変化率の絶対値（＝｜（Ｉｊ−Ｉｊ−１）／（（Ｉｊ＋Ｉｊ−１）／２）｜）が予め設定された所定の閾値Ｔｈ１以下であるか否かを判断する（｜（Ｉｊ−Ｉｊ−１）／（（Ｉｊ＋Ｉｊ−１）／２）｜≦Ｔｈ１？）。この判断の結果、前記変化率の絶対値が前記所定の閾値以下である場合（｜（Ｉｊ−Ｉｊ−１）／（（Ｉｊ＋Ｉｊ−１）／２）｜≦Ｔｈ１）には、照射制御部４２は、前記太陽電池ＳＭが定常状態になっている（安定した）と判定され、前記変化率の絶対値が前記所定の閾値を超えている場合（＝｜（Ｉｊ−Ｉｊ−１）／（（Ｉｊ＋Ｉｊ−１）／２）｜＞Ｔｈ１）には、照射制御部４２は、前記太陽電池ＳＭが過渡状態である（安定していない）と判定される。
【００５７】
また例えば、照射制御部４２は、今回ｊのサンプリング（検出）によって検出部３で得られた前記太陽電池ＳＭの出力電流Ｉｊと前回ｊ−１のサンプリング（検出）によって検出部３で得られた前記太陽電池ＳＭの出力電流Ｉｊ−１との変化率を求め、その求めた変化率を前記サンプリング間隔△Ｔｓで除算し、その除算結果（＝｜（Ｉｊ−Ｉｊ−１）／（（Ｉｊ＋Ｉｊ−１）／２）／△Ｔｓ｜、所定時間における前記太陽電池ＳＭの出力変化率を前記所定時間で除算した傾き）がほぼゼロであるか否かを判断する。より具体的には、照射制御部４２は、前記除算結果（前記傾き）の絶対値（＝｜（Ｉｊ−Ｉｊ−１）／（（Ｉｊ＋Ｉｊ−１）／２）｜）／△Ｔｓ｜）が予め設定された所定の閾値Ｔｈ２以下であるか否かを判断する（｜（Ｉｊ−Ｉｊ−１）／（（Ｉｊ＋Ｉｊ−１）／２）／△Ｔｓ｜≦Ｔｈ２？）。なお、この閾値Ｔｈ２は、ゼロに近い所定の値、例えば、０．１や０．０５や０．０１等の適宜な値に設定される。この判断の結果、前記除算結果がほぼゼロと判定される場合（前記除算結果の絶対値が所定の閾値Ｔｈ２以下である場合（｜（Ｉｊ−Ｉｊ−１）／（（Ｉｊ＋Ｉｊ−１）／２）｜／△Ｔｓ｜≦Ｔｈ２）には、照射制御部４２は、前記太陽電池ＳＭが定常状態になっている（安定した）と判定され、前記除算結果がほぼゼロと判定されない場合（前記除算結果の絶対値が前記所定の閾値Ｔｈ２を超えている場合（｜（Ｉｊ−Ｉｊ−１）／（（Ｉｊ＋Ｉｊ−１）／２）／△Ｔｓ｜＞Ｔｈ２）には、照射制御部４２は、前記太陽電池ＳＭが過渡状態である（安定していない）と判定される。
【００５８】
また例えば、照射制御部４２は、今回ｊのサンプリング（検出）によって検出部３で得られた前記太陽電池ＳＭの出力電流Ｉｊおよび今回ｊから過去の複数ｐのサンプリングによって検出部３で得られた前記太陽電池ＳＭの出力電流Ｉｊ−１、Ｉｊ−２、・・・、Ｉｊ−ｐから、経過時間（横軸）と前記太陽電池ＳＭの出力電流変化率（縦軸）との関係を表す曲線（ｙ＝ｆ（ｔ））を求め、この求めた曲線ｆ（ｔ）から今回ｊ時点での接線の傾き（＝ｄｆ（ｔ）／ｄｔ）を求め、この求めた接線の傾きがほぼゼロであるか否かを判断する。より具体的には、照射制御部４２は、前記接線の傾きの絶対値（＝｜ｄｆ（ｔ）／ｄｔ｜）が予め設定された所定の閾値Ｔｈ３以下であるか否かを判断する（｜ｄｆ（ｔ）／ｄｔ｜≦Ｔｈ３？）。なお、この閾値Ｔｈ３は、前記閾値Ｔｈ２と同様に、ゼロに近い所定の値、例えば、０．１や０．０５や０．０１等の適宜な値に設定される。この判断の結果、前記接線の傾きがほぼゼロと判定される場合（前記接線の傾きの絶対値が所定の閾値Ｔｈ３以下である場合（＝｜ｄｆ（ｔ）／ｄｔ｜≦Ｔｈ３）には、照射制御部４２は、前記太陽電池ＳＭが定常状態になっている（安定した）と判定され、前記接線の傾きがほぼゼロと判定されない場合（前記接線の傾きの絶対値が前記所定の閾値Ｔｈ３を超えている場合（｜ｄｆ（ｔ）／ｄｔ｜＞Ｔｈ３）には、照射制御部４２は、前記太陽電池ＳＭが過渡状態である（安定していない）と判定される。
【００５９】
また例えば、ＪＩＳ  Ｃ  ８９９１によれば、温度が４０〜６０℃の範囲で、４３ｋＷｈ・ｍ−２以上の積算照射量を１つの区間として、２つの連続する区間の測定値が（Ｐｍａｘ−Ｐｍｉｎ）／Ｐａｖｅｒａｇ＜２％を満足する場合に、安定したと見なされる。なお、積算照射量は、ＬＳ光光源部２２から放射されるＬＳ光の放射照度、前記太陽電池ＳＭにおけるＬＳ光の照射領域面積およびサンプリング回数（１つの区間におけるＬＳ光の照射時間）に基づいて求められ、前記太陽電池ＳＭの出力電力Ｐは、検出部３の印加電圧Ｖｂおよび検出部３で得られた前記太陽電池ＳＭの出力電流Ｉに基づいて求められる。
【００６０】
前記処理Ｓ５の判定の結果、前記太陽電池ＳＭが定常状態になっている（安定した）と判定されない場合（Ｎｏ）には、照射制御部４２は、処理を上述の処理Ｓ４に戻し、実行する。すなわち、次のサンプリングが行われる。一方、処理Ｓ５における判定の結果、前記太陽電池ＳＭが定常状態になっている（安定した）と判定された場合（Ｙｅｓ）には、照射制御部４２は、ＬＳ光照射部２を制御することによってＬＳ光の放射を停止する。これによってライトソーキングが終了する。
【００６１】
次に、照射制御部４２は、評価光照射部１を制御することによって前記太陽電池ＳＭに処理Ｓ２で設定した波長の単色光を照射する。そして、単色光が照射されると、放射照度検知部１７は、単色光の放射照度を測定し、その測定結果を増幅部１８を介して演算制御部４に出力し、検出部３は、前記太陽電池ＳＭの出力（本実施形態では出力電流Ｉ）を測定し、この測定結果を演算制御部４に出力する（Ｓ７）。これによって１つの波長における分光感度が測定される。
【００６２】
より具体的には、照射制御部４２の制御に従って評価光光源駆動制御部１１は、評価光光源部１２を駆動し、評価光光源部１２に前記所定の波長帯域の前記光を放射させる。評価光光源部１２から放射された前記所定の波長帯域の前記光は、光学系１３を介してモノクロメータ１４に入射される。モノクロメータ１４は、この入射された前記所定の波長帯域の前記光から、照射制御部４２の制御に従って処理Ｓ２で設定された波長λｋの光（単色光）を抽出し、この所望の波長λｋの単色光を射出する。これによって前記所定の波長帯域の前記光は、モノクロメータ１４によって単色光化される。このモノクロメータ１４から射出された波長λｋの単色光は、光学系１５を介して分岐光カプラ部１６に入射される。分岐光カプラ部１６は、この入射された単色光を２つに分配し、その一方を放射照度検知部１７に入射させ、その他方を評価光照射部１から放射させる。分岐光カプラ部１６から単色光が入射されると、放射照度検知部１７は、単色光を検出し、その検出結果を増幅部１８へ出力する。増幅部１８は、予め設定された増幅率で放射照度検知部１７の出力を増幅し、波長λｋの単色光の放射照度として演算制御部４へ出力する。評価光照射部１から放射された単色光は、照射光学系９に入射され、照射光学系９の光学系９１およびハーフミラー９２を介して、前記太陽電池ＳＭにおける処理Ｓ３ないし処理Ｓ６でＬＳ光が照射されていたＬＳ光照射領域内に、照射される。波長λｋの単色光が入射されると、前記太陽電池ＳＭは、光起電力効果によって光エネルギーを直接電力へ変換し、その出力電流は、検出部３によって測定される。ここで、前記太陽電池ＳＭには、演算制御部４の制御に従って設定された電圧値Ｖｂの電圧が印加される。検出部３は、この測定結果を演算制御部４に出力する。これによって１つの波長λｋの分光感度を求めるためのデータが測定される。
【００６３】
次に、照射制御部４２は、分光感度を求めるために、予め設定された全ての波長について測定を終了したか否かを判定する（Ｓ８）。この処理Ｓ８における判定の結果、全ての波長について測定を終了している場合（Ｙｅｓ）には、次の処理Ｓ９が実行される。一方、処理Ｓ８における判定の結果、全ての波長について測定を終了していない場合（Ｎｏ）には、次の波長λｋ＋１のデータを取得するために、処理が処理Ｓ２に戻される。
【００６４】
例えば、図３に示すように、ＬＳ光の照射を開始した時点Ｔ１０から、評価対象の太陽電池ＳＭは、電流を出力し始め、ＬＳ光の照射の継続に伴って出力電流は、徐々に大きくなる。この過渡状態では、処理Ｓ５における判定の結果は、前記太陽電池ＳＭが定常状態になっている（安定した）と判定されないので、処理は、処理Ｓ４に戻され、処理Ｓ４および処理Ｓ５が繰り返される。このため、過渡状態では、ＬＳ光の照射が継続される。ＬＳ光の照射が継続されると、前記太陽電池ＳＭの出力電流は、図３に示すように、やがて飽和して略一定となり、前記太陽電池ＳＭの出力電流における時間変化が略ゼロまたは所定範囲内となるとともに、経過時間に対する出力電流を表す図３の曲線における今回ｊの点での接線の傾きが略ゼロまたは所定範囲内となる。この時点Ｔ１１では、処理Ｓ５における判定の結果は、前記太陽電池ＳＭが定常状態になっている（安定した）と判定されるので、処理Ｓ６で、ＬＳ光の照射が停止される。そして、処理Ｓ７によって波長λｋの分光感度を求めるためのデータが測定される。そして、処理Ｓ８で処理が処理Ｓ２に戻され、図３に示すように、時点Ｔ１２で処理Ｓ３によってＬＳ光の照射が開始され、同様な動作が繰り返される。このように本実施形態では、測定波長範囲における各波長ごとにライトソーキングが行われ、波長λｋの分光感度を求めるためのデータが測定される。
【００６５】
そして、処理Ｓ９では、評価部４３は、処理Ｓ２ないし処理Ｓ８を実行することによって取得された検出部３の検出結果に基づいて前記太陽電池ＳＭを評価する。本実施形態では、評価部４３は、各波長λｋの各データのそれぞれについて、評価光照射部１によって単色光を前記太陽電池ＳＭに照射することで検出部３で得られた前記太陽電池ＳＭの出力電流、放射照度検知部１７で得られた、単位面積当たりの前記単色光の放射照度、および、予め記憶された前記太陽電池ＳＭにおける単色光の照射領域面積に基づいて、前記太陽電池ＳＭにおける各波長λｋの分光感度を求め、これらを前記太陽電池ＳＭの分光感度とする。
【００６６】
そして、評価部４３は、各波長λｋの各データおよび前記太陽電池ＳＭの分光感度を出力部６に出力し、必要に応じてこれらをＩＦ部７へ出力し、また必要に応じてこれらを記憶部８へ出力して記憶させる。
【００６７】
本実施形態の太陽電池評価装置Ｓは、ライトソーキングの必要な太陽電池ＳＭの評価、本実施形態では、各波長λｋの分光感度を求めるためのデータの測定を行うごとに、前記太陽電池ＳＭの出力における時間変化が予め設定された範囲以内であるか否かが判定され、前記太陽電池ＳＭの出力における時間変化が予め設定された範囲以内となるまで、前記太陽電池ＳＭにＬＳ光を照射するので、定常状態で評価することができるから、ライトソーキングの必要な太陽電池ＳＭをより高い信頼性で評価することができる。そして、このような構成の太陽電池評価装置Ｓは、ライトソーキングを、前記太陽電池ＳＭの出力における時間変化が予め設定された範囲以内となるまで、自動的に行うので、前記太陽電池ＳＭをより少ない手間で評価することができる。
【００６８】
また、本実施形態の太陽電池評価装置Ｓは、各波長ごとにライトソーキングを行うので、確実に定常状態でのデータが得られるから、より高い信頼性で評価することができる。
【００６９】
なお、上述の実施形態において、処理Ｓ５の判定は、上述した、前記太陽電池ＳＭが定常状態になっている（安定した）と判定される条件を、複数回（例えば３回や５回等）、満たした場合に、初めて、前記太陽電池ＳＭが定常状態になっている（安定した）と判断してもよい。このような構成の太陽電池評価装置Ｓでは、前記太陽電池ＳＭが定常状態になっている（安定した）と判定される条件を、複数回（例えば３回や５回等）、満たすまで、前記太陽電池ＳＭにライトソーキング光を照射するので、ノイズ等によって偶発的に前記太陽電池ＳＭが定常状態になっている（安定した）と判定される条件を満たしてライトソーキングを終了する場合をより低減することができ、より確実に定常状態で評価することができるから、ライトソーキングの必要な太陽電池ＳＭをより高い信頼性で評価することができる。
【００７０】
また、ライトソーキングの効果は、図５に示すように、直ちに消失するものではないので、ライトソーキング光の照射停止後、太陽電池評価装置Ｓの各仕様によって許容される各誤差の範囲内で、複数回測定することも可能である。このため、上述の実施形態において、１回のライトソーキング後に、複数回、評価光を前記太陽電池ＳＷに照射し、検出部３から各評価光に対する検出結果を得るように、太陽電池評価装置Ｓが構成されてもよい。
【００７１】
前記１回のライトソーキングで測定される回数は、例えば、ライトソーキング効果の維持時間を予め実測することで、その維持時間および太陽電池評価装置Ｓに仕様によって許容される精度等に基づいて予め設定される。ライトソーキング効果の維持期間の測定は、例えば、ライトソーキング後に単色光またはライトソーキングに使用したエネルギーより十分小さいエネルギーの白色光で前記太陽電池ＳＭに照射し、その出力電流を連続的に測定することによって行われる。ライトソーキング効果の維持期間中では、出力電流は、一定しているが、ライトソーキング効果が薄れるに従って出力電流が変化し、完全にその効果がなくなった時点ではその出力電流で安定する。この出力電流が変化するまでの時間を計測することで、ライトソーキング効果の維持時間を測定することができる。
【００７２】
例えば、実施形態の太陽電池評価装置Ｓにおいて、照射制御部４２は、１回のライトソーキング後（例えば図４に示す時点Ｔ２０から時点Ｔ２１までのライトソーキング後）に、複数の波長（例えば上記図４に示すＤ１、Ｄ２、Ｄ３、Ｄ４、Ｄ５、Ｄ６の６個の波長）に対して、評価光を前記太陽電池ＳＭに照射するように、評価光照射部１を制御し、評価部４３は、１回のライトソーキング後に、複数の波長に対して、評価光照射部１によって前記評価光を前記太陽電池ＳＭに照射することで検出部３によって得られた前記太陽電池ＳＭの出力電流に基づいて前記太陽電池ＳＭの分光感度を求める。より具体的には、照射制御部４２は、１回のライトソーキング後に、複数の波長の個数だけ、処理Ｓ２および処理７の各処理が繰り返され、評価部４３は、処理Ｓ８を介した処理Ｓ９で上述と同様の処理を実行する。
【００７３】
このように構成することによって、太陽電池評価装置Ｓは、波長ごとにライトソーキングを行う場合に比較して、分光感度の測定時間をより短くすることができる。
【００７４】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【符号の説明】
【００７５】
Ｓａ  太陽電池評価装置
ＳＭ  太陽電池
１  評価光照射部
２  ライトソーキング光照射部
３  検出部
４  演算制御部
５  入力部
４２  照射制御部
４３  評価部
【図１】
2013222896.tif 000003
【図２】
2013222896.tif 000004
【図３】
2013222896.tif 000005
【図４】
2013222896.tif 000006
【図５】
2013222896.tif 000007
【図６】
2013222896.tif 000008
【図７】
2013222896.tif 000009
【図８】
2013222896.tif 000010